(57)【要約】コンピュータ・オペレータの一つ又は複数の身体状態を測定するための、及び制御及び監視の目的でコンピュータ（１２）に身体状態に対応する信号を自動的に入力するための方法及び装置。
2004506965.tif 000002
【特許請求の範囲】
【請求項１】
コンピュータに情報を入力する方法であって、
ａ．コンピュータのオペレータによって使用されるセンサーで、前記オペレータが安静状態にあるとき、前記オペレータの身体状態を測定し、対応する安静状態のセンサー信号を発生させるステップ、
ｂ．前記安静状態のセンサー信号を前記コンピュータに入力するステップ、
ｃ．前記コンピュータにおいて、前記オペレータによるインタラクションを必要とするコンピュータ・プログラムを実行するステップ、
ｄ．前記オペレータが前記コンピュータ・プログラムとインタラクトしているとき、前記センサーで前記オペレータの前記身体状態を測定し、対応する活動状態のセンサー信号を発生させるステップ、
ｅ．前記活動状態のセンサー信号を前記コンピュータに入力するステップ、
ｆ．前記安静状態のセンサー信号を前記活動状態のセンサー信号と比較するステップ、及び
ｇ．前記活動状態の信号が前記安静状態の信号と予め決められた量だけ異なるとき、前記コンピュータ・プログラムのいくらかのアスペクトを変化させるステップ、を含む方法。
【請求項２】
前記コンピュータ・プログラムは、コンピュータ・ゲームを含み、
ステップｇは、前記コンピュータ・ゲームの難しさを増加させるステップを含む請求項１記載の方法。
【請求項３】
前記コンピュータ・プログラムは、コンピュータ・ゲームを含み、
ステップｇは、前記コンピュータ・ゲームの難しさを減少させるステップを含む請求項１記載の方法。
【請求項４】
前記コンピュータ・プログラムは、コンピュータ・ゲームを含み、
ステップｇは、前記コンピュータ・ゲームのスピードを増加させるステップを含む請求項１記載の方法。
【請求項５】
前記コンピュータ・プログラムは、コンピュータ・ゲームを含み、
ステップｇは、前記コンピュータ・ゲームのスピードを減少させるステップを含む請求項１記載の方法。
【請求項６】
前記コンピュータ・プログラムは、アプリケーション・プログラムを含み、
ステップｇは、前記コンピュータ・ゲームの難しさを増加させるステップを含む請求項１記載の方法。
【請求項７】
前記コンピュータ・プログラムは、アプリケーション・プログラムを含み、
ステップｇは、前記コンピュータ・ゲームの難しさを減少させるステップを含む請求項１記載の方法。
【請求項８】
前記コンピュータ・プログラムは、アプリケーション・プログラムを含み、
ステップｇは、前記コンピュータ・ゲームのスピードを増加させるステップを含む請求項１記載の方法。
【請求項９】
前記コンピュータ・プログラムは、アプリケーション・プログラムを含み、
ステップｇは、前記コンピュータ・ゲームのスピードを減少させるステップを含む請求項１記載の方法。
【請求項１０】
前記身体状態は、次の、血圧、脈拍、体温、静電容量、皮膚の導電率、脳波の活動度、ＮＯ２又はＮＯ３の血中濃度、静電気、及び血液の特質の少なくとも一つを含む請求項１記載の方法。
【請求項１１】
コンピュータに情報を入力するシステムであって、
オペレータが着用して、又は触れて、前記オペレータが安静状態にあるとき、前記オペレータの身体状態を測定し、対応する安静状態のセンサー信号を発生させてもよく、前記オペレータが活動状態にあるとき、前記オペレータの前記身体状態を測定し、対応する活動状態のセンサー信号を発生させてもよいセンサー、並びに
前記センサーと連結し、前記安静状態のセンサー信号及び前記活動状態のセンサー信号を前記コンピュータに入力するために前記コンピュータと連結するように形成されるコンピュータ・インターフェイス、
を含むヒューマン・インターフェイスと、
以下のように、
前記安静状態のセンサー信号及び前記活動状態のセンサー信号を前記センサーから受信し、
前記安静状態のセンサー信号を前記活動状態のセンサー信号と比較し、
前記比較ステップに応じて前記コンピュータにおいて実行するアプリケーション・コンピュータ・プログラムのいくらかのアスペクトを変化させるように、動作するように前記コンピュータに指示する、コンピュータ読み取り可能なメモリデバイスに記憶されるコンピュータ・プログラムと、を含むシステム。
【請求項１２】
前記アプリケーション・プログラムは、コンピュータ・ゲームを含み、
前記コンピュータ・プログラムは、前記比較ステップに応じて前記コンピュータ・ゲームの難しさを増加させる請求項１１記載のシステム。
【請求項１３】
前記アプリケーション・プログラムは、コンピュータ・ゲームを含み、
前記コンピュータ・プログラムは、前記比較ステップに応じて前記コンピュータ・ゲームの難しさを減少させる請求項１１記載のシステム。
【請求項１４】
前記アプリケーション・プログラムは、コンピュータ・ゲームを含み、
前記コンピュータ・プログラムは、前記比較ステップに応じて前記コンピュータ・ゲームのスピードを増加させる請求項１１記載のシステム。
【請求項１５】
前記アプリケーション・プログラムは、コンピュータ・ゲームを含み、
前記コンピュータ・プログラムは、前記比較ステップに応じて前記コンピュータ・ゲームのスピードを減少させる請求項１１記載のシステム。
【請求項１６】
前記コンピュータプログラムは、アプリケーション・プログラムを含み、
ステップｇは、前記コンピュータ・ゲームの難しさを増加させるステップを含む請求項１１記載のシステム。
【請求項１７】
前記コンピュータプログラムは、アプリケーション・プログラムを含み、
ステップｇは、前記コンピュータ・ゲームの難しさを減少させるステップを含む請求項１１記載のシステム。
【請求項１８】
前記コンピュータプログラムは、アプリケーション・プログラムを含み、
ステップｇは、前記コンピュータ・ゲームのスピードを増加させるステップを含む請求項１１記載のシステム。
【請求項１９】
前記コンピュータプログラムは、アプリケーション・プログラムを含み、
ステップｇは、前記コンピュータ・ゲームのスピードを減少させるステップを含む請求項１１記載のシステム。
【請求項２０】
前記身体状態は、次の、血圧、脈拍、体温、静電容量、皮膚の導電率、脳波の活動度、ＮＯ２又はＮＯ３の血中濃度、静電気、及び血液の特質の少なくとも一つを含む請求項１１記載のシステム。
【請求項２１】
コンピュータ・ユーザーが互いにインタラクトすることを可能にする方法であって、
第一のデバイスの第一のオペレータが着用するセンサーで、前記第一のオペレータの身体状態を測定し、対応するセンサー信号を発生させるステップ、
通信網を介して前記センサー信号を第二のデバイスの第二のオペレータに伝達するステップ、及び
前記第二オペレータが、前記センサー信号に基づいて前記第一のオペレータ又は別のオペレータとインタラクトしてもよいように、前記センサー信号を前記第二のデバイスに表示するステップ、を含む方法。
【請求項２２】
前記身体状態は、次の、血圧、脈拍、体温、静電容量、皮膚の導電率、脳波の活動度、ＮＯ２又はＮＯ３の血中濃度、静電気、及び血液の特質の少なくとも一つを含む請求項２１記載の方法。
【発明の詳細な説明】
【０００１】
［発明の背景］
１．発明の技術分野
本発明は、コンピュータのインターフェイスのデバイス及び方法に関する。より詳しくは、本発明は、人間の一つ又は複数の身体状態を測定するための、制御及び監視の目的でコンピュータへ身体状態に対応する信号を入力するための、並びに、コンピュータのユーザーが他の遠隔地にいるコンピュータのユーザーと通信網を経由して情報交換し得ることを可能にするための、方法及び装置に関する。
２．従来技術の説明
多くのコンピュータ・プログラムは、異なる経験又は知識レベルを有するコンピュータ・オペレータによる使用に対して設計される。例えば、多くのコンピュータ・ゲームは、異なる技能レベルのプレーヤーに適合する異なる“レベル”又はスピードを有する。同様に、多くのコンピュータのアプリケーション・プログラムも、異なる人々によって人々の技能レベルに依存して使用され得る、簡単から複雑まで変動する様々な特徴を有する。
【０００２】
現在、コンピュータ・オペレータは、キーボード、コンピュータ・マウス、又は他の手動の入力デバイスを介してコンピュータにデータ又は情報を入力することよって、コンピュータとインタラクトすることができるだけである。これらのタイプのコンピュータ・入力デバイスは、オペレータが手動で全ての情報を入力することに頼る以外に、コンピュータ・ユーザーについての情報を決定することも、自動的に情報を入力することもできない。従って、自分たちの技能レベル又は知識レベルに基づいて、コンピュータ・プログラムとインタラクトすることを望むコンピュータ・オペレータは、現在、このような情報をコンピュータに手動で入力しなければならない。例えば、ある特定のコンピュータ・ゲームについて高い技能レベルをもつコンピュータ・ユーザーは、より高いレベル又はスピードでコンピュータ・プログラムを動作させる為に、現在は、手動で自分の技能レベルに関する情報を入力しなければならない。
【０００３】
また、従来のコンピュータ入力デバイスに関する別の問題は、ユーザーが、オペレータの身体状態に関する感覚情報をコンピュータに自動的に入力できないことである。これは、多くのコンピュータ・ユーザーが、緊張の多い状況に置かれており、ユーザー等の現在の身体状態が重要な因子である場合もあるので、問題である。また、現在のコンピュータ入力デバイスは、コンピュータ・ユーザーが手動で情報を入力することなく、他の遠隔地にいるコンピュータ・ユーザーとインタラクトすることを可能としない。
［発明の目的及び要約］
本発明は、上述の問題点を解決し、コンピュータ入力デバイスにめざましい進歩を提供する。より詳しくは、本発明は、制御及び監視の目的で、人間の一つ又は複数の身体状態をセンサーで測定すると共に身体状態に対応するセンサー信号をコンピュータに自動的に入力し、コンピュータ・ユーザーが通信網を介して他の遠隔地にいるコンピュータ・ユーザーとインタラクトすることを可能にする、方法及び装置を提供する。
【０００４】
本発明の方法における一つの実施例は、ユーザーが着用する又は触れるセンサーで、ユーザーが安静状態にあるとき、ユーザーの身体状態を測定し、対応する安静状態のセンサー信号を発生させるステップ、安静状態のセンサー信号をコンピュータに入力するステップ、コンピュータにおいて、ユーザーによるインタラクションを必要とするコンピュータ・プログラムを実行させるステップ、ユーザーがコンピュータ・プログラムとインタラクトしているとき、ユーザーの身体状態をセンサーで測定し、対応する活動状態のセンサー信号を発生させるステップ、活動状態のセンサー信号をコンピュータに入力するステップ、安静状態のセンサー信号を活動状態のセンサー信号と比較するステップ、及び活動状態の信号が、予め決められた量だけ安静状態の信号と異なるとき、コンピュータ・プログラムのいくらかのアスペクトを変化させるステップ、を含む。
【０００５】
本発明におけるこれら及び他の重要な態様は、以下の詳細な説明でより十分に記載される。
【０００６】
本発明の好適な実施例は、添付した図面を参照して、以下に詳細に記載される。
［好適な実施例の詳細な説明］
ここで図面、特に図１を見ると、本発明は、ヒューマン・インターフェイス・デバイス１０及び説明するもののようなコンピュータ１２上で実行してもよいコンピュータ・プログラムを含む。ヒューマン・インターフェイス・デバイス１０は、コンピュータ・オペレータの一つ又は複数の身体状態を測定し、身体状態に対応する信号をコンピュータ１２に自動的に入力する。次に、コンピュータ・プログラムは、コンピュータ１２によって実行される他のコンピュータ・プログラムのある一定のアスペクトを制御するために、又は以下に、より詳細に説明するような監視する目的のために、信号を分析する。また、信号を、コンピュータ・ユーザーが通信網を介して他の遠隔地にいるコンピュータ・ユーザーとインタラクトすることを可能にするために、使用してもよい。
【０００７】
ヒューマン・インターフェイス・デバイス１０は、一つ又は複数のセンサー１４、コンピュータ１２のオペレータがセンサーを着用することを可能にするキャリアー１６、コンピュータ１２とセンサーを連結する為のコンピュータ・インターフェイス１８を含む。センサー１４は、血圧、脈拍、体温、静電容量、皮膚の導電率、脳波の活動度、ＮＯ２若しくはＮＯ３の血中濃度、静電気、又は血液の特質のような身体状態を測定するどんな市販のセンサーであってもよい。センサー１４は、それぞれ好ましくは、信号の増幅器、及び、測定された身体状態に対応するデジタルセンサー信号を生ずるアナログ−デジタル変換器を含む。
【０００８】
センサー１４は、キャリアー１６に対して、又はキャリアー１６上に装着され、センサー１４を、コンピュータ１２のオペレータが着用することができる。キャリアー１６の一つの実施例は、図１で説明するように、人間の手首又は前腕に対してセンサー１４を配置するリストバンドである。これは、センサー１４が、人間の血圧、脈拍、体温、又は皮膚の導電率を容易に監視することを可能にする。また、キャリアー１６は、人間の耳及び頭部に対してセンサーを配置するタイプのキャリアー１６であってもよい。
【０００９】
また、オペレータがセンサー１４を着用する必要がないように、センサー１４を、オペレータが保持するデバイスに取り付けるか又は装着してもよい。例えば、オペレータがマウスを操作している間に、センサー１４が、オペレータの身体状態を監視するように、センサー１４をコンピュータ・マウス中に組み込んでもよい。この実施例に関しては、マウスは、好ましくは、オペラータが自分の指を置くことができるであろう開口部又は穴を含むであろう。一つ又は複数のセンサー１４を穴に装着して、オペレータがマウスを使用する間に、上述の身体状態を測定するであろう。
【００１０】
また、センサー１４が、コンピュータ・ゲームをプレイする間、又はそのゲームを開始する前に、オペレータの身体状態を測定することができるように、センサー１４を、コンピュータのジョイスティックに組み込んでもよい。マウスにおけるように、ジョイスティックは、オペレータの指を受ける開口部又は穴を含むであろう。また、センサーを、テーブルパット、マウスパット、机、椅子、フロアマット、指掌紋デバイス、足紋デバイス、又は自動肩マッサージ器のような他のデバイスに組み込んでもよい。
【００１１】
コンピュータ・インターフェイス１８は、センサー１４からセンサー信号を受信し、コンピュータ１２に信号を送る。好適な形態において、コンピュータ・インターフェイス１８は、コンピュータ１２における従来のＵＳＢポートと連結するユニバーサル・シリアル・バス（ＵＳＢ）又はミニ−ＵＳＢインターフェイスである。また、コンピュータ・インターフェイス１８は、ＰＳ２マウス型インターフェイス、ＳＣＳＩインターフェイス、ＲＳ−２３２Ｃインターフェイス、パラレル・インターフェイス、シリアル・インターフェイス、又は更に無線インターフェイスであってもよい。
【００１２】
コンピュータ・プログラムは、ヒューマン・インターフェイス・デバイス１０からセンサー信号を受信し、それに応じてコンピュータ１２のある一定の動作を制御することに使うことができる。プログラムを、コンピュータのハード・ドライブのようなコンピュータ１２によってアクセスできるコンピュータ読み取り可能なメモリに記憶し、設計の選択の事項としてどんなコンピュータ言語で書き込んでもよい。
【００１３】
図３で説明するように、コンピュータ・プログラムは、おおよそ、信号インターフェイス・コンポーネント２０、ユーザー・インターフェイス・コンポーネント２２、信号分析コンポーネント２４、及びトレンド記録コンポーネント２６を含む。信号インターフェイス・コンポーネント２０は、ヒューマン・インターフェイス・デバイス１０からのセンサー信号を受信し、どんな必要なエラー・チェック機能をも行う。ユーザー・インターフェイス・コンポーネント２２は、コンピュータ１２のモニターにおけるグラフィックのユーザー・インターフェイスを提供し、オペレータが、以下で、より詳細に記載するようなコンピュータ・プログラムのある一定の機能を制御することを可能にする。信号分析コンポーネント２４は、ヒューマン・インターフェイス・デバイス１０から受信したセンサー信号を分析し、以下で、より詳細に記載するようなコンピュータ１２又は他のコンピュータのある一定の動作を制御する。トレンド記録コンポーネント２６は、監視又は制御の目的でアクセスしてもよいデータベースに他の情報と一緒にセンサー信号を記録する。
【００１４】
図４で説明するフロー図は、本発明の一つのアプリケーションに関するコンピュータ・プログラムによって行われる幾つかのステップを描く。コンピュータ１２のオペレータが、コンピュータ・インターフェイス１８をコンピュータ１２に接続するとき、コンピュータ・プログラムは、ステップ４００で初期化される。次に、センサー１４が、オペレータのある一定の身体状態を測定し、対応するセンサー信号をコンピュータ１２に伝達し始めてもよいように、オペレータは、リストバンド・キャリアー１６又は他のキャリアーを着用する。
【００１５】
コンピュータ・プログラムは、好ましくは第一に、オペレーターがコンピュータ１２を使用してステップ４０２に描くような安静のセンサー信号を取得し始めてしまう前に、オペレータの身体状態を監視する。次に、オペレーターは、コンピュータ１２のモニター上で安静のセンサー信号を見て、ステップ４０４に描くように、不規則性に適応するようにセンサー信号を調節してもよい。例えば、オペレータが、最近の運動により高い脈拍数を現在経験しているとすれば、オペレータは、それに応じて、安静のセンサー信号を手動で変化させてもよい。
【００１６】
次に、コンピュータ・プログラムは、ステップ４０６に描くように、安静のセンサー信号に対応するしきい値レベルを設定する。しきい値レベルは、典型的には、安静のセンサー信号の何パーセントかである。例えば、しきい値レベルは、下限警報に関してはセンサー１４の各々からの測定された安静のセンサー信号の＋又は−３０％であってもよく、上限警報に関してはセンサーの各々からの測定された安静のセンサー信号の＋又は−５０％であってもよい。
【００１７】
一度、コンピュータ・プログラムが、安静のセンサー信号を受信し記憶し、しきい値レベルを設定すると、オペレータは、コンピュータ１２を使用し始めてもよい。例えば、オペレータは、コンピュータ・ゲームをプレイし始めてもよく、又はコンピュータ１２に記憶されたアプリケーション・プログラムを使用し始めてもよい。オペレータが、コンピュータ１２を使用する間に、ヒューマン・インターフェイス・デバイス１０は、ステップ４０８に描くように、オペレータの身体状態を測定して、対応するセンサー信号をコンピュータ１２へ送り続ける。コンピュータ・プログラムは、ステップ４１０に描くように、現在のセンサー信号をしきい値レベルと比較し、ステップ４１２に描くように、コンピュータ１２のモニター上に、現在の信号及びしきい値レベルの両方を表示する。
【００１８】
本発明の一つの重要な態様に従って、コンピュータ・プログラムは、受信したセンサー信号及び比較ステップに基づいて、コンピュータ１２のある一定のアスペクトを制御してもよい。例えば、コンピュータ・プログラムは、コンピュータ・ゲームをプレイしているオペレータに、オペレーターの身体状態の測定に基づいて挑戦することを、決定してもよい。次に、コンピュータ・プログラムは、ゲームがオペレータにとってより興奮させるものであるように、コンピュータ・ゲームのスピード又は難しさを増加させてもよい。
【００１９】
同様に、コンピュータ・プログラムは、ある一定のアプリケーションを使用しているオペレータが、高レベルのストレス及び／又は疲労を経験していることを決定してもよい。次に、コンピュータ・プログラムは、オペレータの作業量を減少させてもよいか、又はオペレータ若しくはスーパーバイザにオペレータが休憩若しくは援助を必要とすることを警告してもよい。
【００２０】
また、コンピュータ・プログラムは、好ましくは、ステップ４１４に描くように、後の分析のためにセンサー信号を他の情報と一緒にデータベースに記憶して記録する。例えば、コンピュータ・プログラムは、センサー信号並びにオペレータの現在のセンサー信号がしきい値レベルを越えるときの日付及び時間を記憶してもよい。次に、スーパーバイザ又は他の人間は、監視の目的でデータベースにおける情報を分析してもよい。
【００２１】
本発明の別の実施例において、いくつかのコンピュータ１２及びヒューマン・インターフェイス・デバイス１０を、図２に描くように、通信網３０を介して、ホスト・コンピュータ２８へ、又はホスト・コンピュータ２８を通じて、接続してもよい。また、ヒューマン・インターフェイス・デバイス１０を、インターネット機能付き携帯電話又はさらにインターネット機能付きのテレビを介してホスト・コンピュータに接続してもよい。通信網３０は、インターネット、ローカルエリアネットワーク、ワイドエリアネットワーク、又はさらに無線ネットワークのような、どんな従来のネットワークであってもよい。また、通信網は、ホスト・コンピュータ２８を使用することなく、直接、いくつかのパーソナル・コンピュータ１２を連結してもよい。
【００２２】
ホストコンピュータ２８は、コンピュータ１２のオペレータの身体状態を遠隔監視するか、又はコンピュータ１２に情報を提供するために使用される。例えば、一つのアプリケーションでは、オペレータが、疲労し過ぎない又はストレスを受け過ぎないことを保証するために、ホスト・コンピュータ２８を、コンピュータ１２のオペレータの身体状態を監視するスーパーバイザーが操作してもよい。また、パイロット、運転者、又はコンピュータ１２のオペレーターに監視されている他人の身体状態を監視するために、ホスト・コンピュータを使用してもよい。
【００２３】
別のアプリケーションでは、ホスト・コンピュータ２８を、遠隔面接を実施するために使用してもよい。被面接者は、センサー１４を着用するか又はマウス若しくはジョイステックに自分の手を置き、ホスト・コンピュータ２８を操作する面接者とのテレビ会議にコンピュータ１２の一つを使用するパーソナル・コンピュータ１２上で実行するコンピュータ・プログラムは、被面接者の前述の身体状態に対応してセンサー信号をホスト・コンピュータ２８に供給する。このアプリケーションは、従来の方法で得ることができない貴重な情報を面接者へ提供する。
【００２４】
別のアプリケーションでは、ホスト・コンピュータ２８を使用して、健康の理由で人間の身体状態を遠隔監視してもよい。例えば、家庭で病気又は事故から回復している最中の人々を、ホスト・コンピュータ２８を操作する医者又は病院が監視してもよい。
【００２５】
別のアプリケーションでは、ホスト・コンピュータ２８を、オンライン遠隔市場調査型のサービスに使用してもよい。例えば、選択された消費者は、センサー１４を着用するように指示され、コンピュータ上で、センサーに与えられたある一定のコマーシャルを見てもよい。次に、ホスト・コンピュータ２８のオペレータは、消費者がある一定のタイプのコマーシャルにどのように応答するかを決定するために、消費者の身体状態に対応するセンサー信号を収集し分析してもよい。
【００２６】
別のアプリケーションでは、ホスト・コンピュータ２８を、遠隔教育又は訓練の目的に使用してもよい。例えば、コンピュータ１２の一つを介してあるクラスを選ぶと同時に、学生にセンサー１４を着用するか又は触れるように指示してもよい。次に、教師は、講義が適切な難しさ又はスピードであるかどうかを決定するために、学生の身体状態を監視してもよい。
【００２７】
本発明を、添付した図面に説明する好適な実施例を参照して記載してきたが、請求項に列挙するような本発明の範囲から逸脱することなく、ここでは均等物を用いてもよく、置換を行ってもよいことに注意する。
【００２８】
本発明の好適な実施例をこのように記載してきたが、特許証によって保護されることを望む新規な特許請求の範囲は、以上の請求項を含む。
【図面の簡単な説明】
【図１】パーソナル・コンピュータと連結して示した本発明の好適な実施例に従って構成したヒューマン・インターフェイス・デバイスを示す概略図である。
【図２】通信網を介しホスト・コンピュータと連結して示したいくつかのヒューマン・インターフェイス及びパーソナル・コンピュータの概略図である。
【図３】本発明のヒューマン・インターフェイスと使用してもよいコンピュータ・プログラムのいくつかのコア・コンポーネントのブロック図である。
【図４】コンピュータ・プログラムのある一定のステップを描くフロー図である。
【図３】
2004506965.tif 000003
【図４】
2004506965.tif 000004
【国際公開パンフレット】
2004506965.tif 000005
2004506965.tif 000006
2004506965.tif 000007
2004506965.tif 000008
2004506965.tif 000009
2004506965.tif 000010
2004506965.tif 000011
2004506965.tif 000012
2004506965.tif 000013
2004506965.tif 000014
2004506965.tif 000015
2004506965.tif 000016
2004506965.tif 000017
2004506965.tif 000018
2004506965.tif 000019
【国際公開パンフレット（コレクトバージョン）】
2004506965.tif 000020
2004506965.tif 000021
【国際公開パンフレット（コレクトバージョン）】
2004506965.tif 000022
2004506965.tif 000023
【国際調査報告】
2004506965.tif 000024
2004506965.tif 000025
2004506965.tif 000026
2004506965.tif 000027
2004506965.tif 000028
2004506965.tif 000029